(57)【要約】【課題】紙葉類処理装置および自動販売機の稼動履歴情報等の収集を容易に行うことが可能な紙葉類処理装置および方法を提供する。【解決手段】紙葉類が識別部１４に搬送されると、識別部１４は紙葉類を識別し、識別結果を制御部９に出力し、識別部１４が紙葉類をＩＣシートであると識別した場合、ＩＣシートが保留部１５に搬送されると、アンテナ１６はＩＣシートに埋設されたＩＣチップ内に記憶されている情報を読み出し、アンテナ制御部１７は読み出した情報の種類を確認し、その情報が記憶情報の収集指示である場合、制御部９は情報記憶部１８に記憶保持されている記憶情報を読み出し、アンテナ１６は記憶情報をＩＣシートのＩＣチップに書き込み、ＩＣシートを返却する。【選択図】図２
2005099917.tif 000002
【特許請求の範囲】
【請求項１】
自動販売機に挿入された紙幣およびＩＣを内蔵したＩＣシートを含む紙葉類の処理を行う紙葉類処理装置であって、
前記紙幣および前記ＩＣシートの処理に関する記憶情報を蓄積する記憶情報蓄積手段と、
前記ＩＣシートが有する特徴に基づき、該ＩＣシートを識別する識別手段と、
前記識別手段によりＩＣシートと識別された場合、前記ＩＣシートに対して情報の読み取り若しくは書き込みの処理を行う情報読取書込み手段と、
前記情報読取書込み手段が読み取った情報の内容を解析する情報解析手段と、
前記情報解析手段により前記情報読取書込み手段で読み取った情報が、前記記憶情報蓄積手段に蓄積されている記憶情報の収集依頼である場合、該記憶情報を前記ＩＣシートに対して書き込む情報書込み制御手段と
を具備することを特徴とする紙葉類処理装置。
【請求項２】
前記識別手段は、
前記自動販売機に挿入された紙葉類の特徴を取得する特徴取得手段
を具備し、
前記特徴取得手段で取得した特徴に基づき、前記紙葉類が前記紙幣であるか前記ＩＣシートであるかを識別する
ことを特徴とする請求項１記載の紙葉類処理装置。
【請求項３】
前記特徴取得手段は、
前記自動販売機に挿入された紙葉類の表面の画像を取得する光学的センサであり、
前記識別手段は、
前記光学的センサで取得した紙葉類の表面の画像に前記ＩＣシートが有する特徴模様が存在するか否か解析し、
前記画像に前記特徴模様が存在する場合、前記ＩＣシートであると識別し、
前記画像に前記特徴模様が存在しない場合、前記紙幣であると識別し、該画像に基づいて該紙幣の金種を識別する
ことを特徴とする請求項２記載の紙葉類処理装置。
【請求項４】
前記自動販売機に挿入されたＩＣシートを保留する保留手段
を更に具備し、
前記保留手段には前記情報読取書込み手段が配置され、
前記情報読取書込み手段は、
前記保留手段に保留されているＩＣシートに対して情報の読み取り若しくは書き込みの処理を行う
ことを特徴とする請求項１記載の紙葉類処理装置。
【請求項５】
前記記憶情報は、
前記紙幣および前記ＩＣシートの処理に関する稼動履歴情報、該処理を行う際の各種機能に対する設定情報、該処理を制御する制御ソフトウェアのバージョン情報である
ことを特徴とする請求項１記載の紙葉類処理装置。
【請求項６】
前記情報解析手段により前記情報読取書込み手段で読み取った情報が前記自動販売機に蓄積された記憶情報の収集依頼であると解析された場合、該自動販売機に該記憶情報の収集を依頼し、
前記自動販売機から前記記憶情報を取得し、
前記情報書込み制御手段は、前記自動販売機から取得した記憶情報を前記ＩＣシートに対して書き込む
ことを特徴とする請求項１記載の紙葉類処理装置。
【請求項７】
自動販売機に挿入された紙幣およびＩＣを内蔵したＩＣシートを含む紙葉類の処理を行う紙葉類処理装置であって、
前記ＩＣシートが有する特徴に基づき、該ＩＣシートを識別し、
前記識別の結果がＩＣシートである場合、前記ＩＣシートに対して情報の読み取り、
該読み取った情報の内容を解析し、
前記解析により前記情報が、前記紙幣および前記ＩＣシートの処理に関する記憶情報の収集依頼である場合、該記憶情報を前記ＩＣシートに対して書き込む
ことを特徴とする紙葉類処理方法。
【請求項８】
前記識別は、
前記自動販売機に挿入された紙葉類の特徴を取得し、
該取得した特徴に基づき、前記紙葉類が前記紙幣であるか前記ＩＣシートであるかを識別する
ことを特徴とする請求項７記載の紙葉類処理方法。
【請求項９】
前記識別は、
前記自動販売機に挿入された紙葉類の表面の画像を光学的センサが取得し、
該取得した紙葉類の表面の画像に前記ＩＣシートが有する特徴模様が存在するか否か解析し、
前記画像に前記特徴模様が存在する場合、前記ＩＣシートであると識別し、
前記画像に前記特徴模様が存在しない場合、前記紙幣であると識別し、該画像に基づいて該紙幣の金種を識別する
ことを特徴とする請求項８記載の紙葉類処理方法。
【請求項１０】
前記自動販売機に挿入されたＩＣシートを保留し、
該保留されているＩＣシートに対して情報の読み取り若しくは書き込みの処理を行う
ことを特徴とする請求項７記載の紙葉類処理方法。
【請求項１１】
前記記憶情報は、
前記紙幣および前記ＩＣシートの処理に関する稼動履歴情報、該処理を行う際の各種機能に対する設定情報、該処理を制御する制御ソフトウェアのバージョン情報である
ことを特徴とする請求項７記載の紙葉類処理方法。
【請求項１２】
前記解析により前記情報が前記自動販売機に蓄積された記憶情報の収集依頼であると解析された場合、該自動販売機に該記憶情報の収集を依頼し、
前記自動販売機から前記記憶情報を取得し、
該取得した記憶情報を前記ＩＣシートに対して書き込む
ことを特徴とする請求項７記載の紙葉類処理方法。
【発明の詳細な説明】
【技術分野】
【０００１】
本発明は、紙葉類処理装置および方法に関し、特に、シート状のものにＩＣを内蔵したＩＣシートを用いて自動販売機および自動販売機に搭載された紙葉類処理装置の記憶情報を収集することができるようにした紙葉類処理装置および方法に関する。
【背景技術】
【０００２】
一般に、自動販売機に投入された紙幣を処理する紙幣処理装置には、自動販売機の設置場所により製品の汚れ具合、部品の消耗具合が異なり、自動販売機毎に適切なメンテナンス時期を把握する目的で、紙葉類処理装置が稼動履歴情報等の記憶情報を蓄積していることが多くなってきている。なお、稼動履歴情報とは、販売回数、エラー情報および受入率等の情報である。
【０００３】
例えば、自動販売機の各種の制御データを確認、変更するための操作履歴を自動販売機制御装置内に記憶しておき、その操作履歴を用いて制御データの確認、および変更作業を行うことによって、自動販売機 の操作要員の負荷を少なくすることができる自動販売機制御装置がある（例えば、特許文献１参照）。
【特許文献１】特開２００１−６０２８２号公報
【発明の開示】
【発明が解決しようとする課題】
【０００４】
しかし、市場で稼動している自動販売機に対して、紙葉類処理装置の稼動履歴情報を収集等する場合、自動販売機の管理者は販売を一時停止し、自動販売機の扉を開ける必要がある。そして、自動販売機内に設けられている紙葉類処理装置の記憶情報を収集するためには、紙葉類処理装置にＰＣ（Personal Computer）等の情報端末機器を接続して稼動履歴情報の確認および保存を行う方法、または紙葉類処理装置と自動販売機の主制御装置とを接続する通信ラインを介して、稼動履歴情報を自動販売機の主制御装置に吸い上げて自動販売機に設けられている表示部等で稼動履歴情報を表示して確認する方法等を行わなければならなかった。また、情報端末機器を接続するためのコネクタ等が装置内部に設けられている紙葉類処理装置の場合は、構成部品の分解等の作業を行わなければならないので、前準備に時間を費やしてしまい、全体的な作業に時間が掛かってしまうという問題がある。
【０００５】
そこで、本発明は、紙葉類処理装置および自動販売機の稼動履歴情報等の収集を容易に行うことが可能な紙葉類処理装置および方法を提供することを目的とする。
【課題を解決するための手段】
【０００６】
上記目的を達成するため、請求項１の発明は、自動販売機に挿入された紙幣およびＩＣを内蔵したＩＣシートを含む紙葉類の処理を行う紙葉類処理装置であって、前記紙幣および前記ＩＣシートの処理に関する記憶情報を蓄積する記憶情報蓄積手段と、前記ＩＣシートが有する特徴に基づき、該ＩＣシートを識別する識別手段と、前記識別手段によりＩＣシートと識別された場合、前記ＩＣシートに対して情報の読み取り若しくは書き込みの処理を行う情報読取書込み手段と、前記情報読取書込み手段が読み取った情報の内容を解析する情報解析手段と、前記情報解析手段により前記情報読取書込み手段で読み取った情報が、前記記憶情報蓄積手段に蓄積されている記憶情報の収集依頼である場合、該記憶情報を前記ＩＣシートに対して書き込む情報書込み制御手段とを具備することを特徴とする。
【０００７】
なお、記憶情報蓄積手段は図２に示す情報記憶部に対応し、識別手段は図２に示す識別部に対応し、情報読取書込み手段は図２に示すアンテナに対応し、情報解析手段は図２に示すアンテナ制御部に対応し、情報書込み制御手段は図２に示す制御部に対応する。
【０００８】
また、請求項２の発明は、請求項１の発明において、前記識別手段は、前記自動販売機に挿入された紙葉類の特徴を取得する特徴取得手段を具備し、前記特徴取得手段で取得した特徴に基づき、前記紙葉類が前記紙幣であるか前記ＩＣシートであるかを識別することを特徴とする。
【０００９】
なお、特徴取得手段は識別部が有する磁気的センサまたは光学的センサ等である。
【００１０】
また、請求項３の発明は、請求項２の発明において、前記特徴取得手段は、前記自動販売機に挿入された紙葉類の表面の画像を取得する光学的センサであり、前記識別手段は、前記光学的センサで取得した紙葉類の表面の画像に前記ＩＣシートが有する特徴模様が存在するか否か解析し、前記画像に前記特徴模様が存在する場合、前記ＩＣシートであると識別し、前記画像に前記特徴模様が存在しない場合、前記紙幣であると識別し、該画像に基づいて該紙幣の金種を識別することを特徴とする。
【００１１】
また、請求項４の発明は、請求項１の発明において、前記自動販売機に挿入されたＩＣシートを保留する保留手段を更に具備し、前記保留手段には前記情報読取書込み手段が配置され、前記情報読取書込み手段は、前記保留手段に保留されているＩＣシートに対して情報の読み取り若しくは書き込みの処理を行うことを特徴とする。
【００１２】
なお、保留手段は図２に示す保留部に対応する。
【００１３】
また、請求項５の発明は、請求項１の発明において、前記記憶情報は、前記紙幣および前記ＩＣシートの処理に関する稼動履歴情報、該処理を行う際の各種機能に対する設定情報、該処理を制御する制御ソフトウェアのバージョン情報であることを特徴とする。
【００１４】
また、請求項６の発明は、請求項１の発明において、前記情報解析手段により前記情報読取書込み手段で読み取った情報が前記自動販売機に蓄積された記憶情報の収集依頼であると解析された場合、該自動販売機に該記憶情報の収集を依頼し、前記自動販売機から前記記憶情報を取得し、前記情報書込み制御手段は、前記自動販売機から取得した記憶情報を前記ＩＣシートに対して書き込むことを特徴とする。
【００１５】
また、請求項７の発明は、自動販売機に挿入された紙幣およびＩＣを内蔵したＩＣシートを含む紙葉類の処理を行う紙葉類処理装置であって、前記ＩＣシートが有する特徴に基づき、該ＩＣシートを識別し、前記識別の結果がＩＣシートである場合、前記ＩＣシートに対して情報の読み取り、該読み取った情報の内容を解析し、前記解析により前記情報が、前記紙幣および前記ＩＣシートの処理に関する記憶情報の収集依頼である場合、該記憶情報を前記ＩＣシートに対して書き込むことを特徴とする。
【００１６】
また、請求項８の発明は、請求項７の発明において、前記識別は、前記自動販売機に挿入された紙葉類の特徴を取得し、該取得した特徴に基づき、前記紙葉類が前記紙幣であるか前記ＩＣシートであるかを識別することを特徴とする。
【００１７】
また、請求項９の発明は、請求項８の発明において、前記識別は、前記自動販売機に挿入された紙葉類の表面の画像を光学的センサが取得し、該取得した紙葉類の表面の画像に前記ＩＣシートが有する特徴模様が存在するか否か解析し、前記画像に前記特徴模様が存在する場合、前記ＩＣシートであると識別し、前記画像に前記特徴模様が存在しない場合、前記紙幣であると識別し、該画像に基づいて該紙幣の金種を識別することを特徴とする。
【００１８】
また、請求項１０の発明は、請求項７の発明において、前記自動販売機に挿入されたＩＣシートを保留し、該保留されているＩＣシートに対して情報の読み取り若しくは書き込みの処理を行うことを特徴とする。
【００１９】
また、請求項１１の発明は、請求項７の発明において、前記記憶情報は、前記紙幣および前記ＩＣシートの処理に関する稼動履歴情報、該処理を行う際の各種機能に対する設定情報、該処理を制御する制御ソフトウェアのバージョン情報であることを特徴とする。
【００２０】
また、請求項１２の発明は、請求項７の発明において、前記解析により前記情報が前記自動販売機に蓄積された記憶情報の収集依頼であると解析された場合、該自動販売機に該記憶情報の収集を依頼し、前記自動販売機から前記記憶情報を取得し、該取得した記憶情報を前記ＩＣシートに対して書き込むことを特徴とする。
【発明の効果】
【００２１】
本発明によれば、シート状のものにＩＣを内蔵したＩＣシートを採用することで、自動販売機の扉を開けることなく、紙葉類処理装置および自動販売機の稼動履歴情報、設定情報、制御ソフトウェアのバージョン情報等の記憶情報を収集することが可能になるため、作業性が向上し、更に自動販売機の販売の一時停止時間を短縮することが可能になるため、商品販売の機会を増やすことが可能になり、更にＩＣシートを挿入するだけなので、作業ミスの可能性を低下させるという効果を奏する。
【発明を実施するための最良の形態】
【００２２】
以下、本発明に係わる紙葉類処理装置および方法の実施の形態について添付図面を参照して詳細に説明する。なお、本発明に係わる紙葉類処理装置が自動販売機に組み込まれている構成を実施例として説明する。また、実施例では、シート状のものにＩＣが内蔵され、紙幣と類似した形状で、幅寸法および厚さは紙幣とほぼ同等であるが、長さについては紙幣の長さに関与せず任意の長さであるものをＩＣシートとして説明するが、形状等については特に限定しない。
【実施例１】
【００２３】
本発明に係わる紙葉類処理装置および方法の第１の実施の形態について説明する。
【００２４】
図１は、本発明に係わる紙葉類処理装置および方法の第１の実施の形態における自動販売機１の機能的な構成の一例を示すブロック図である。
【００２５】
図１に示すように、自動販売機１は、自動販売機の主制御装置２、硬貨処理装置３、紙葉類処理装置４、商品払出制御装置５、パネル表示装置６、キー入力装置７から構成されている。
【００２６】
ここで、自動販売機の主制御装置２は、自動販売機１全体の制御および処理等を行うとともに、シリアル通信バス８を介して接続された硬貨処理装置３、紙葉類処理装置４、商品払出制御装置５、パネル表示装置６、キー入力装置７を制御する。また、紙葉類処理装置４に挿入された紙幣またはＩＣシートの金額情報、および硬貨処理装置３に投入された硬貨の金額情報を入力し、入力した金額情報と商品の販売価格とを比較して、商品払出制御装置５に商品の払出指示を出力する。
【００２７】
また、硬貨処理装置３は、投入された硬貨を識別し、材質および形状等に基づいて正偽および金種を識別し、硬貨の金額情報を算出し、算出した金額情報を自動販売機の主制御装置２に出力するとともに、収金等の硬貨処理を行う。
【００２８】
また、紙葉類処理装置４は、挿入された紙幣およびＩＣシートを識別し、紙幣であると識別した場合、紙幣の印刷模様等に基づいて正偽および金種を識別し、紙幣の金額を演算し、算出した金額情報を自動販売機の主制御装置２に出力するとともに、収金等の紙幣処理を行い、また、ＩＣシートであると識別した場合、ＩＣシートに埋設されたＩＣチップへの情報の読み出しおよび書き込みを行う。
【００２９】
また、商品払出制御装置５は、自動販売機の主制御装置２からの指示に基づいて商品の搬送および払い出し等の制御を行う。
【００３０】
また、パネル表示装置６は、商品展示用パネルディスプレイの表示等を制御する。
【００３１】
また、キー入力装置７は、自動販売機１の各種設定を入力するためのキー等である。
【００３２】
図２は、第１の実施の形態における紙葉類処理装置４の機能的な構成の一例を示すブロック図である。
【００３３】
図２に示すように、紙葉類処理装置４は、紙葉類処理装置４全体の制御を行う制御部９、紙葉類の挿入口である紙葉類挿入部１０、紙葉類を搬送する紙葉類搬送部１１、紙葉類を受け入れる紙葉類受入部１２、制御部９からの制御により紙葉類搬送部１１を駆動させる駆動部１３、識別部１４、保留部１５、アンテナ１６、アンテナ制御部１７、情報記憶部１８から構成されている。
【００３４】
ここで、識別部１４は、紙葉類挿入部１０から挿入された紙葉類が紙幣であるかＩＣシートであるかを識別し、識別結果を制御部９に出力し、更に、識別結果が紙幣である場合、識別した紙幣の金種も判定し、判定した金種を制御部９に出力する。なお、ＩＣシートには、識別部１４がＩＣシートであることを識別できる模様（例えば、印刷、透かし等）が設けられ、識別部１４はその模様を識別することができるセンサとして磁気センサまたは光学センサ等を有している。
【００３５】
また、保留部１５は、紙葉類挿入部１０から挿入された紙葉類を保留する。
【００３６】
また、アンテナ１６は、保留部１５に配置され、保留部１５に到達したＩＣシートに対して非接触で、ＩＣシートに埋設されたＩＣチップにアクセスし、ＩＣチップ内に予め記憶されている情報を読み出し、読み出した情報をアンテナ制御部１７に出力し、更にアンテナ制御部１７から入力した情報をＩＣチップ内に書き込む。
【００３７】
また、アンテナ制御部１７は、ＩＣシートが保留部１５に到達すると、アンテナ１６に対してＩＣシートのＩＣチップへの読み出し処理を行わせ、アンテナ１６が読み出した情報を入力すると、入力した情報の種類を確認し、確認した情報が紙葉類処理装置の記憶情報の収集指示である場合、記憶情報の収集指示を制御部９に出力し、制御部９から記憶情報を入力すると、入力した記憶情報をアンテナ１６に出力し、アンテナ１６に対してＩＣシートのＩＣチップへの記憶情報の書き込み処理を行わせる。
【００３８】
また、情報記憶部１８は、紙葉類処理装置４における稼動履歴情報（例えば、処理履歴、エラー情報および受入率等）、設定情報および制御ソフトウェアのバージョン情報等の記憶情報を記憶保持する。
【００３９】
次に、紙葉類処理装置４の記憶情報をＩＣシートに書き込む際の紙葉類処理装置４の機能的な動作について説明する。
【００４０】
紙葉類が紙葉類挿入部１０から挿入されると、制御部９は駆動部１３を制御することで紙葉類搬送部１１により紙葉類を搬送し、紙葉類が識別部１４に搬送されると、識別部１４は光学センサにより紙葉類を撮像して紙葉類の画像データを取得し、取得した紙葉類の画像データに基づいて紙葉類が紙幣であるかＩＣシートであるかを識別し、識別結果を制御部９に出力する。なお、識別する際に、識別部１４は紙葉類の画像データからＩＣシートである旨を示す模様（例えば、印刷、透かし等）を確認し、その模様が確認された場合、紙葉類がＩＣシートであることを制御部９に出力し、また、その模様が確認されなかった場合、その紙葉類の画像データに基づいて紙葉類の金種を識別し、紙葉類が紙幣であることと紙幣の金種とを制御部９に出力し、制御部９は駆動部１３を制御することで紙幣を紙葉類受入部１２に搬送し、紙幣を受け入れる。また、識別部１４は磁気センサにより紙葉類の磁気的出力データを取得し、取得した紙葉類の磁気的出力データに基づいて紙葉類が紙幣であるかＩＣシートであるかを識別する構成も適用可能である。
【００４１】
識別部１４が紙葉類をＩＣシートであると識別した場合、ＩＣシートが保留部１５に搬送されると、制御部９は駆動部１３を制御することでＩＣシートの搬送を一時停止し、アンテナ１６はＩＣシートに埋設されたＩＣチップにアクセスし、ＩＣチップ内に予め記憶されている情報を読み出し、読み出した情報をアンテナ制御部１７に出力し、アンテナ制御部１７は情報を入力すると、入力した情報の種類を確認する。
【００４２】
その情報が紙葉類処理装置４の記憶情報の収集指示である場合、アンテナ制御部１７は記憶情報の収集指示を制御部９に出力し、制御部９は記憶情報の収集指示を入力すると、情報記憶部１８に記憶保持されている記憶情報を読み出し、読み出した記憶情報をアンテナ制御部１７に出力し、アンテナ制御部１７は記憶情報を入力すると、入力した記憶情報をアンテナ１６に出力し、アンテナ１６は記憶情報を入力すると、入力した記憶情報をＩＣシートのＩＣチップに書き込む。
【００４３】
そして、記憶情報の書き込みの処理が終了すると、制御部９は駆動部１３を制御することでＩＣシートを紙葉類挿入部１０に搬送し、ＩＣシートを返却する。なお、書き込みの処理が終了した際に、書き込みの処理の終了を自動販売機の主制御装置２に通知し、自動販売機の主制御装置２がパネル表示装置６の表示を制御することで、処理の終了を自動販売機１の管理者等に知らせる構成を適用しても良い。
【００４４】
例えば、紙葉類処理装置４の記憶情報の収集として、自動販売機１毎に適切なメンテナンス時期を把握する目的で紙葉類処理装置４に記憶保持されている販売履歴、エラー情報および受入率等の情報である稼動履歴情報、紙葉類処理装置の設定情報、紙葉類処理装置の制御ソフトウェアのバージョン情報等をＩＣシートを用いて収集することができる。
【００４５】
次に、紙葉類処理装置４の記憶情報をＩＣシートに書き込む際の紙葉類処理装置４の処理手順について図３に示すフローチャートを参照して説明する。
【００４６】
紙葉類が挿入され（ステップＳ３０１）、紙葉類を識別する（ステップＳ３０２）。
【００４７】
ＩＣシートであると識別された場合（ステップＳ３０３でＹＥＳ）、ＩＣシートの情報を読み出す（ステップＳ３０４）。
【００４８】
読み出した情報が記憶情報の収集指示である場合（ステップＳ３０５でＹＥＳ）、記憶情報を読み出し（ステップＳ３０６）、読み出した記憶情報をＩＣシートに書き込み（ステップＳ３０７）、書き込みが終了すると、ＩＣシートを返却し（ステップＳ３０８）、処理手順を終了する。
【００４９】
また、ステップＳ３０５において、読み出した情報が記憶情報の収集指示でない場合（ステップＳ３０５でＮＯ）、その他のＩＣシート処理を行い（ステップＳ３０９）、処理が終了すると、ＩＣシートを返却し（ステップＳ３０８）、処理手順を終了する。
【００５０】
また、ステップＳ３０３において、紙幣であると識別された場合（ステップＳ３０３でＮＯ）、通常の紙幣受入処理を行い（ステップＳ３１０）、処理手順を終了する。
【００５１】
従って、自動販売機１の管理者は自動販売機１を開閉することなく、ＩＣシートを紙葉類処理装置４に挿入するだけで、紙葉類処理装置４の記憶情報の書き込みを容易に行うことができる。
【００５２】
第１の実施の形態では、紙葉類処理装置４の記憶情報をＩＣシートに書き込む構成について説明してきたが、本発明に係わる紙葉類処理装置４は自動販売機１および自動販売機１に接続する各装置の記憶情報をＩＣシートに書き込む構成も適用可能である。
【実施例２】
【００５３】
本発明に係わる紙葉類処理装置および方法の第２の実施の形態について説明する。
【００５４】
図４は、本発明に係わる紙葉類処理装置および方法の第２の実施の形態における自動販売機１の機能的な構成の一例を示すブロック図である。
【００５５】
図４に示すように、自動販売機１は、自動販売機の主制御装置２、硬貨処理装置３、紙葉類処理装置４、商品払出制御装置５、パネル表示装置６、キー入力装置７、記憶装置１９から構成されている。なお、記憶装置１９以外の各装置の機能については、図４に示す各装置の機能と同様であるため、詳細な説明は省略する。
【００５６】
ここで、記憶装置１９は自動販売機の主制御装置２に接続し、自動販売機１における稼動履歴情報（例えば、販売履歴、エラー情報および受入率等）、設定情報、制御ソフトウェアのバージョン情報等の記憶情報を記憶保持する。
【００５７】
図５は、第２の実施の形態における紙葉類処理装置４の機能的な構成の一例を示すブロック図である。なお、紙葉類処理装置４の機能的な構成は、図２に示す構成と同様であるため、詳細な説明は省略する。
【００５８】
図５に示すように、制御部９は自動販売機の主制御装置２と接続し、自動販売機の主制御装置２は記憶装置１９、硬貨処理装置３および商品払出装置５と接続している。
【００５９】
次に、自動販売機１および自動販売機１に接続している各装置の記憶情報をＩＣシートに書き込む際の紙葉類処理装置４の機能的な動作について説明する。
【００６０】
紙葉類が紙葉類挿入部１０から挿入されると、制御部９は駆動部１３を制御することで紙葉類搬送部１１により紙葉類を搬送し、紙葉類が識別部１４に搬送されると、識別部１４は光学センサにより紙葉類を撮像して紙葉類の画像データを取得し、取得した紙葉類の画像データに基づいて紙葉類が紙幣であるかＩＣシートであるかを識別し、識別結果を制御部９に出力する。
【００６１】
識別部１４が紙葉類をＩＣシートであると識別した場合、ＩＣシートが保留部１５に搬送されると、制御部９は駆動部１３を制御することでＩＣシートの搬送を一時停止し、アンテナ１６はＩＣシートに埋設されたＩＣチップにアクセスし、ＩＣチップ内に予め記憶されている情報を読み出し、読み出した情報をアンテナ制御部１７に出力し、アンテナ制御部１７は情報を入力すると、入力した情報の種類を確認する。
【００６２】
その情報が自動販売機１の記憶情報の収集指示である場合、アンテナ制御部１７は記憶情報の収集指示を制御部９に出力し、制御部９は記憶情報の収集指示を入力すると、入力した記憶情報の収集指示を自動販売機の主制御装置２に送信し、自動販売機の主制御装置２は記憶情報の収集指示を受信すると、記憶装置１９に記憶保持されている記憶情報を読み出す。
【００６３】
自動販売機の主制御装置２は読み出した記憶情報を制御部９に送信し、制御部９は記憶情報を受信すると、受信した記憶情報をアンテナ制御部１７に出力し、アンテナ制御部１７は記憶情報を入力すると、入力した記憶情報をアンテナ１６に出力し、アンテナ１６は記憶情報を入力すると、入力した記憶情報をＩＣシートのＩＣチップに書き込む。
【００６４】
なお、硬貨処理装置３、商品払出装置５等の記憶情報の収集指示である場合、自動販売機の主制御装置２は硬貨処理装置３または商品払出装置５から記憶情報を取得し、取得した記憶情報を制御部９に送信する。
【００６５】
そして、記憶情報の書き込みの処理が終了すると、制御部９は駆動部１３を制御することでＩＣシートを紙葉類挿入部１０に搬送し、ＩＣシートを返却する。
【００６６】
例えば、自動販売機１の記憶情報の収集として、自動販売機１毎に適切なメンテナンス時期を把握する目的で記憶装置１９に記憶保持されている販売履歴、エラー情報および受入率等の情報である稼動履歴情報、設定情報、制御ソフトウェアのバージョン情報等の記憶情報、自動販売機の主制御装置２に接続されている各装置の記憶情報をＩＣシートを用いて収集することができる。
【００６７】
次に、自動販売機１および自動販売機１に接続されている各装置の記憶情報をＩＣシートに書き込む際の紙葉類処理装置４の処理手順について図６に示すフローチャートを参照して説明する。
【００６８】
紙葉類が挿入され（ステップＳ６０１）、紙葉類を識別する（ステップＳ６０２）。
【００６９】
ＩＣシートであると識別された場合（ステップＳ６０３でＹＥＳ）、ＩＣシートの情報を読み出す（ステップＳ６０４）。
【００７０】
読み出した情報が記憶情報の収集指示であり（ステップＳ６０５でＹＥＳ）、更に、自動販売機の記憶情報の収集指示である場合（ステップＳ６０６でＹＥＳ）、自動販売機の主制御装置に記憶情報の収集を依頼し（ステップＳ６０７）、自動販売機の主制御装置から記憶情報を取得し（ステップＳ６０８）、取得した記憶情報をＩＣシートに書き込み（ステップＳ６０９）、書き込みが終了すると、ＩＣシートを返却し（ステップＳ６１０）、処理手順を終了する。
【００７１】
また、ステップＳ６０６において、紙葉類処理装置の記憶情報の収集指示である場合（ステップＳ６０６でＮＯ）、紙葉類処理装置の記憶情報を収集し（ステップＳ６１１）、ステップＳ６０９に進む。
【００７２】
また、ステップＳ６０５において、読み出した情報が記憶情報の収集指示でない場合（ステップＳ６０５でＮＯ）、その他のＩＣシート処理を行い（ステップＳ６１２）、処理が終了すると、ＩＣシートを返却し（ステップＳ６１０）、処理手順を終了する。
【００７３】
また、ステップＳ６０３において、紙幣であると識別された場合（ステップＳ６０３でＮＯ）、通常の紙幣受入処理を行い（ステップＳ６１３）、処理手順を終了する。
【００７４】
従って、自動販売機１の管理者は自動販売機１の扉を開閉することなく、ＩＣシートを紙葉類処理装置４に挿入するだけで、自動販売機１の記憶情報および自動販売機の主制御装置２に接続している各装置の記憶情報を容易に収集することができる。
【００７５】
なお、上記実施例では、識別部１４が紙葉類の画像データからＩＣシートである旨を示す模様を確認することで、紙葉類がＩＣシートであるか紙幣であるかを識別し、アンテナ制御部１７がＩＣシートから読み出した情報の種類を確認する構成を説明してきたが、識別部１４が紙葉類の画像データからＩＣシートである旨を示す模様を確認することで、紙葉類がＩＣシートであるか紙幣であるかを識別するとともに、ＩＣシートである旨を示す模様を確認できた場合はその模様を識別することで、ＩＣシートに記憶保持されている情報が紙葉類処理装置４の記憶情報の収集指示であるか、自動販売機１の記憶情報の収集指示であるかを識別する構成も適用可能である。
【００７６】
また、上記実施例では、識別部９が挿入された紙葉類が紙幣であるかＩＣシートであるかを識別する構成について説明してきたが、識別部９を設けず、アンテナ１６がＩＣチップにアクセスできるか否かにより、紙葉類が紙幣であるかＩＣシートであるかを識別する構成でも適用可能である。
【００７７】
また、上記実施例では、ＩＣシートに対するアンテナ１６の制御、およびＩＣシートから読み出した情報の種類の確認等を行うアンテナ制御部１７を紙葉類処理装置４に内蔵する構成について説明してきたが、アンテナ制御部１７を紙葉類処理装置４から独立する構成でも適用可能である。
【図面の簡単な説明】
【００７８】
【図１】本発明に係わる紙葉類処理装置および方法の第１の実施の形態における自動販売機１の機能的な構成の一例を示すブロック図である。
【図２】第１の実施の形態における紙葉類処理装置４の機能的な構成の一例を示すブロック図である。
【図３】紙葉類処理装置４の記憶情報をＩＣシートに書き込む際の紙葉類処理装置４の処理手順を示すフローチャートである。
【図４】本発明に係わる紙葉類処理装置および方法の第２の実施の形態における自動販売機１の機能的な構成の一例を示すブロック図である。
【図５】第２の実施の形態における紙葉類処理装置４の機能的な構成の一例を示すブロック図である。
【図６】自動販売機１および自動販売機１に接続されている各装置の記憶情報をＩＣシートに書き込む際の紙葉類処理装置４の処理手順を示すフローチャートである。
【符号の説明】
【００７９】
１    自動販売機
２    自動販売機の主制御装置
３    硬貨処理装置
４    紙葉類処理装置
５    商品払出制御装置
６    パネル表示装置
７    キー入力装置
８    シリアル通信バス
９    制御部
１０    紙葉類挿入部
１１    紙葉類搬送部
１２    紙葉類受入部
１３    駆動部
１４    識別部
１５    保留部
１６    アンテナ
１７    アンテナ制御部
１８    情報記憶部
１９    記憶装置
【図１】
2005099917.tif 000003
【図２】
2005099917.tif 000004
【図３】
2005099917.tif 000005
【図４】
2005099917.tif 000006
【図５】
2005099917.tif 000007
【図６】
2005099917.tif 000008